(57)【要約】【課題】  サンバイザ本体部を覆う表皮部にスリットを有する車両用サンバイザにおいて、スリット縁部の表皮部の捲れを防止する上で有効な技術を提供する。【解決手段】  本体部スリット１０３ａを有するサンバイザ本体部１０３と、サンバイザ本体部１０３を覆うとともに、表皮部スリット１０９ａを有する表皮部１０９と、を有する車両用サンバイザにおいて、表皮部スリット１０９ａは、本体部スリット１０３ａの長さ方向に沿って延在する複数の切れ目１０９ｂによって構成されるとともに、カバー部材１１５がサンバイザ本体部１０３に取付けられた状態において、複数の切れ目１０９ｂ間の表皮部１０９ｃが切断され、これによってプレート部１１３に対応する長さの単一のスリット１０９ａが形成されていることを特徴とする車両用サンバイザ。【選択図】  図３
2010052665.tif 000002
【特許請求の範囲】
【請求項１】
内部空間を有するサンバイザ本体部と、
サンバイザ本体部に形成され、前記内部空間の内部と外部を連通する所定長さの本体部スリットと、
前記サンバイザ本体部を覆う表皮部と、
前記表皮部のうち前記本体部スリットに対応した位置に設けられた表皮部スリットと、
前記サンバイザ本体部に取付けられる付属品と、を有し、
前記付属品は、前記サンバイザ本体部に固定されるとともに、前記本体部スリット及び表皮部スリットに対応した位置にスリットを有するカバー部材と、前記サンバイザ本体部に取付けられるとともに、前記カバー部材のスリットを通じて前記サンバイザ本体部の内部空間に収納される収納位置と、前記内部空間から外部へ突出される突出位置間で移動可能なプレート部と、を有する車両用サンバイザであって、
前記表皮部スリットは、前記本体部スリットの長さ方向に沿って延在する複数の切れ目によって構成されるとともに、前記カバー部材が前記サンバイザ本体部に取付けられた状態において、複数の切れ目間の表皮部が切断され、これによってプレート部に対応する長さの単一のスリットが形成されていることを特徴とする車両用サンバイザ。
【請求項２】
請求項１に記載の車両用サンバイザであって、
前記プレート部を前記カバー部材のスリットを通じて前記サンバイザ本体部に挿入して取り付ける際に、前記プレート部によって複数の切れ目間の表皮部が破断された状態で前記プレート部に対応する長さの単一のスリットが形成されることを特徴とする車両用サンバイザ。
【請求項３】
請求項１または２に記載の車両用サンバイザであって、
前記本体部スリット及び前記表皮部スリットは、前記サンバイザ本体部の周縁部における長辺領域に形成されていることを特徴とする車両用サンバイザ。
【請求項４】
内部空間を有するサンバイザ本体部と、
サンバイザ本体部に形成され、前記内部空間の内部と外部を連通する所定長さの本体部スリットと、
前記サンバイザ本体部を覆う表皮部と、
前記表皮部のうち前記本体部スリットに対応した位置に設けられた表皮部スリットと、
前記サンバイザ本体部に取付けられる付属品と、を有し、
前記付属品は、前記サンバイザ本体部に固定されるとともに、前記本体部スリット及び表皮部スリットに対応した位置にスリットを有するカバー部材と、前記サンバイザ本体部の内部空間に収容固定されるとともに、前記カバー部材のスリットを通じて前記サンバイザ本体部の内部空間に挿入されるカード類を保持可能なカード保持部材と、を有する車両用サンバイザであって、
前記表皮部スリットは、前記本体部スリットの長さ方向に沿って延在する複数の切れ目によって構成されるとともに、前記カバー部材が前記サンバイザ本体部に取付けられた状態において、複数の切れ目間の表皮部が切断され、これによって所定長さの単一のスリットが形成されていることを特徴とする車両用サンバイザ。
【請求項５】
内部空間を有するサンバイザ本体部と、
サンバイザ本体部に形成され、前記内部空間の内部と外部を連通する所定長さの本体部スリットと、
前記サンバイザ本体部を覆う表皮部と、
前記表皮部のうち前記本体部スリットに対応した位置に設けられた表皮部スリットと、
前記サンバイザ本体部に取付けられる付属品と、を有し、
前記付属品は、前記サンバイザ本体部に固定されるとともに、前記本体部スリット及び表皮部スリットに対応した位置にスリットを有するカバー部材と、前記サンバイザ本体部に取付けられるとともに、前記カバー部材のスリットを通じて前記サンバイザ本体部の内部空間に収納される収納位置と、前記内部空間から外部へ突出される突出位置間で移動可能なプレート部と、を有する車両用サンバイザの製造方法であって、
前記表皮部スリットにつき、前記本体部スリットの長さ方向に沿って延在する複数の切れ目によって形成する工程と、前記サンバイザ本体部に前記カバー部材を取付けた後で、前記複数の切れ目間の表皮部を切断することによって前記プレート部に対応する長さの単一のスリットを形成する工程と、を有することを特徴とする車両用サンバイザの製造方法。
【請求項６】
請求項５に記載の車両用サンバイザの製造方法であって、
前記複数の切れ目間の表皮部は、前記カバー部材のスリットを通じて前記サンバイザ本体部に挿入される前記プレート部によって破断されることを特徴とする車両用サンバイザの製造方法。
【請求項７】
請求項５に記載の車両用サンバイザの製造方法であって、
前記複数の切れ目間の表皮部は、刃物によって切断されることを特徴とする車両用サンバイザの製造方法。
【発明の詳細な説明】
【技術分野】
【０００１】
この発明は、付属品を有する車両用サンバイザに関する。
【背景技術】
【０００２】
車両用サンバイザには、付属品（アクセサリ）として、サンバイザ本体部の遮光領域を拡張する補助遮光板を備えたものが知られている。このような車両用サンバイザは、例えば特開平８−２１６６８１号公報（特許文献１）に記載されている。サンバイザ本体部が表皮部によって被覆される構成の車両用サンバイザに補助遮光板を備える場合、サンバイザ本体部及び表皮部には、当該補助遮光板を出し入れするためのスリットがそれぞれ形成される。また、表皮部のスリット周辺の見栄えを向上し、かつ補助遮光板の出し入れ動作の安定化を図るべく、サンバイザ本体部には、スリットに対応する位置に補助遮光板が出入りするスリット（出入口）を備えた付属品としての口枠部が取付けられる。
【０００３】
サンバイザ本体部を被覆する表皮部が、例えば塩化ビニル樹脂シートによって形成される場合、２枚のビニルシートをサンバイザ本体部の外郭形状に対応する形状に切断し、当該切断された２枚のビニルシートをサンバイザ本体部に被せたのち、当該２枚のビニルシートをサンバイザ本体部の周縁部に沿って、例えば高周波溶着によって溶着するという形態で表皮部を形成する。そして表皮部のスリットは、ビニルシートを所定形状に切断する際に当該ビニルシートに所定長さの切り込みを入れることで形成される。
ところが、上記構成の場合、表皮部によってサンバイザ本体部が被覆された状態において、表皮部に作用する張力によってスリット縁部の表皮部が捲れる（スリットが開く）という現象が生じることがあり、特に補助遮光板をサンバイザ本体部の長辺領域（使用領域に置かれた場合の下辺領域）から出し入れする設定としたときは、表皮部のスリットの長さが長くなることから、表皮部の捲れがより顕著になる。このようなことから、表皮部のスリット周辺領域を押さえ込むように口枠部を表皮部の上からサンバイザ本体部に取り付けようとしたとき、表皮部が捲れている場合には、そのことが当該口枠部の取付け作業を支障することになり、この点でなお改良の余地がある。
【特許文献１】特開平８−２１６６８１号公報
【発明の開示】
【発明が解決しようとする課題】
【０００４】
本発明は、上記に鑑みてなされたものであり、サンバイザ本体部を覆う表皮部にスリットを有する車両用サンバイザにおいて、前記スリット縁部の表皮部の捲れを防止する上で有効な技術を提供することをその目的とする。
【課題を解決するための手段】
【０００５】
上記課題を達成するため、本発明に係る車両用サンバイザの好ましい形態は、サンバイザ本体部と、本体部スリットと、表皮部と、表皮部スリットと、付属品とを有する。サンバイザ本体部は、内部空間を有するとともに、当該サンバイザ本体部には内部空間の内部と外部を連通する所定長さの本体部スリットが形成される。表皮部はサンバイザ本体部を覆うとともに、当該表皮部には本体部スリットに対応した位置に表皮部スリットが設けられる。付属品はサンバイザ本体部に取付けられる。付属品はサンバイザ本体部に固定されるとともに、本体部スリット及び表皮部スリットに対応した位置にスリットを有するカバー部材と、サンバイザ本体部に取付けられるとともに、カバー部材のスリットを通じてサンバイザ本体部の内部空間に収納される収納位置と、内部空間から外部へ突出される使用位置間で移動可能なプレート部と、を有する。なお、本発明における「プレート部」は、典型的にはサンバイザ本体部の遮光領域を拡張する補助遮光板がこれに該当する。
【０００６】
本発明に係る車両用サンバイザの好ましい形態によれば、特徴的構成として、表皮部スリットは、本体部スリットの長さ方向に沿って延在する複数の切れ目によって構成されるとともに、カバー部材がサンバイザ本体部に取付けられた状態において、複数の切れ目間の表皮部が切断されてプレート部に対応する長さの単一のスリットが形成される構成とされる。カバー部材は、表皮部スリットに対応した位置にスリットを有する部材であり、表皮部スリットの周辺領域の見栄え向上、及びプレート部の出入動作の安定化、あるいは円滑化を図るべく、表皮部スリットの周辺部を覆うようにサンバイザ本体部に固定される。
本発明によれば、表皮部スリットは複数の切れ目によって構成されているため、カバー部材をサンバイザ本体部に固定する際、スリット縁部の表皮部に捲れ（口開き）が発生することを防止あるいは抑制できる。従って、サンバイザ本体部に対するカバー部材の取付けを容易に行うことが可能となり、作業性が向上する。また、スリット縁部の表皮部が捲れないことで、サンバイザ本体部を覆う表皮部に張力（テンション）が掛かった状態が保持されることになり、表皮部の皴の発生を抑えることができる。
【０００７】
本発明に係る車両用サンバイザの更なる形態によれば、プレート部をカバー部材のスリットを通じてサンバイザ本体部に挿入して取り付ける際に、プレート部によって複数の切れ目間の表皮部が破断された状態でプレート部に対応する長さの単一のスリットが形成されている。本発明によれば、付属品の構成部材である、プレート部によって切れ目の表皮部が破断される。このため、表皮部を、例えば軟質の塩化ビニル樹脂シートのような、引きち切ることのできる材料で形成するとともに、切れ目間の長さ寸法を、例えば５ｍｍ以下に設定することが好ましい。
【０００８】
本発明に係る車両用サンバイザの更なる形態によれば、本体部スリット及び表皮部スリットは、サンバイザ本体部の周縁部における長辺領域に形成されている。表皮部スリットは当該スリット長さが長くなるほど表皮部が捲れ易くなるが、表皮部スリットを複数の切れ目によって構成することでスリット長さが長い場合であっても上記の捲れ問題が解消され、サンバイザ本体部に対するカバー部材の取付けの容易化が実現する。
【０００９】
また、上記課題を解決するため、本発明に係る車両用サンバイザの別の形態によれば、サンバイザ本体部と、本体部スリットと、表皮部と、表皮部スリットと、付属品とを有する。サンバイザ本体部は、内部空間を有するとともに、当該サンバイザ本体部には内部空間の内部と外部を連通する所定長さの本体部スリットが形成される。表皮部はサンバイザ本体部を覆うとともに、当該表皮部には本体部スリットに対応した位置に表皮部スリットが設けられる。付属品はサンバイザ本体部に取付けられる。付属品は、サンバイザ本体部に固定されるとともに、本体部スリット及び表皮部スリットに対応した位置にスリットを有するカバー部材と、サンバイザ本体部の内部空間に収容固定されるとともに、カバー部材のスリットを通じてサンバイザ本体部の内部空間に挿入されるカード類を保持可能なカード保持部材と、を有する。
【００１０】
本発明に係る車両用サンバイザの別の形態によれば、特徴的構成として、表皮部スリットは、本体部スリットの長さ方向に沿って延在する複数の切れ目によって構成されるとともに、カバー部材がサンバイザ本体部に取付けられた状態において、複数の切れ目間の表皮部が切断されて所定長さの単一のスリットが形成されている。表皮部スリットの周辺領域の見栄え向上を図るべく、表皮部スリットに対応した位置にスリットを有するカバー部材が表皮部スリットの周辺部を覆うようにサンバイザ本体部に固定される。
本発明によれば、表皮部スリットは複数の切れ目によって構成されている。このため、カバー部材をサンバイザ本体部に固定する際、スリット縁部の表皮部に捲れ（口開き）が発生することを防止あるいは抑制できる。従って、サンバイザ本体部に対するカバー部材の取付けを容易に行うことが可能となり、作業性が向上する。また、スリット縁部の表皮部が捲れないことで、サンバイザ本体部を覆う表皮部に張力（テンション）が掛かった状態が保持されることになり、表皮部の皴の発生を抑えることができる。
【００１１】
また、上記課題を解決するため、本発明によれば、内部空間を有するサンバイザ本体部と、サンバイザ本体部に形成され、内部空間の内部と外部を連通する所定長さの本体部スリットと、サンバイザ本体部を覆う表皮部と、表皮部のうち本体部スリットに対応した位置に設けられた表皮部スリットと、サンバイザ本体部に取付けられる付属品と、を有し、付属品は、サンバイザ本体部に固定されるとともに、本体部スリット及び表皮部スリットに対応した位置にスリットを有するカバー部材と、サンバイザ本体部に取付けられるとともに、カバー部材のスリットを通じてサンバイザ本体部の内部空間に収納される収納位置と、内部空間から外部へ突出される使用位置間で移動可能なプレート部と、を有する車両用サンバイザの製造方法が構成される。
【００１２】
本発明に係る車両用サンバイザの製造方法によれば、特徴的構成として、表皮部スリットは、本体部スリットの長さ方向に沿って延在する複数の切れ目によって形成される工程と、サンバイザ本体部にカバー部材を取付けた後で、複数の切れ目間の表皮部を切断することによって所定長さの単一のスリットを形成する工程とを有する。
本発明によれば、サンバイザ本体部にカバー部材を取付けた後で、複数の切れ目間の表皮部を切断することによって所定長さの単一のスリットを形成するので、サンバイザ本体部にカバー部材を取付ける段階では、スリット縁部の表皮部に捲れが生じないか、あるいは生じ難い。このため、カバー部材のサンバイザ本体部に対する取付けを容易に行うことが可能となり、作業性が向上する。また、スリット縁部の表皮部が捲れないことで、サンバイザ本体部を覆う表皮部に張力（テンション）が掛かった状態が保持されることになり、表皮部の皴の発生を抑えることができる。
【００１３】
上記の車両用サンバイザの製造方法における１つの形態によれば、複数の切れ目間の表皮部は、プレート部をカバー部材のスリットを通じてサンバイザ本体部に挿入して取付ける際、当該プレート部によって破断される構成とされる。また、他の形態によれば、複数の切れ目間の表皮部は、刃物によって切断される構成とされる。
【発明の効果】
【００１４】
本発明によれば、サンバイザ本体部を覆う表皮部にスリットを有する車両用サンバイザにおいて、前記スリット縁部の表皮部の捲れを防止する上で有効な技術が提供されることとなった。
【発明を実施するための最良の形態】
【００１５】
（本発明の第１の実施形態）
以下、本発明の第１の実施形態に係る車両用サンバイザにつき、図１〜図６を参照しつつ説明する。図１には本実施の形態に係る車両用サンバイザの全体構成が示され、図２には車両用サンバイザの断面構造が示される。図３には図２のＡ部が拡大して示される。本実施の形態に係る車両用サンバイザ１０１は、図１に示すように、概括的に見て、サンバイザ１０１の外形を構成するサンバイザ本体部１０３と、サンバイザ本体部１０３を車両に装着するための円形断面の支軸１０５、及び取付ブラケット１０７を主体として構成されている。支軸１０５は、概ね鉛直方向に延びる縦軸部１０５ａと、概ね水平方向に延びる横軸部１０５ｂを備えた略Ｌ字状に形成されるとともに、横軸部１０５ｂがサンバイザ本体部１０３における上縁部の一方の隅部に相対回動自在に取り付けられる。支軸１０５の縦軸部１０５ａは、取付ブラケット１０７を介して車室天井面の前側隅部に回動自在に装着される。なお、説明の便宜上、図１において、横軸部１０５ｂの長軸方向を車両左右方向、縦軸部１０５ａの長軸方向を上下方向、横軸部１０５ｂの長軸方向と交差する水平方向（サンバイザ本体部１０３の厚み方向）を車両前後方向という。
【００１６】
サンバイザ本体部１０３は、支軸１０５の横軸部１０５ｂの長軸回りに上下方向に回動することによって、車室の天井面に沿うように置かれる格納領域と、フロントガラス側へと回動される使用領域（遮光領域）との間での位置変更が可能とされ、縦軸部１０５ａの長軸回りに車両左右方向に回動することで、フロントガラス側のフロント位置とサイドガラス側のサイド位置との間での位置変更が可能とされる。
【００１７】
図２に示すように、サンバイザ本体部１０３は、二つの本体構成部材１０３Ａ，１０３Ｂを前後方向（厚み方向、図２では上下方向）において互いに対向状に接合することで中空状のシェル構造として構成されるとともに、その外表面が表皮部１０９によって覆われる。二つの本体構成部材１０３Ａ，１０３Ｂは、便宜上、図示を省略するが、例えば、一方の本体構成部材１０３Ａに形成された複数の接合ピンと、他方の本体構成部材１０３Ｂに形成された複数のボス部のボス孔との嵌め合いによって接合される。
【００１８】
本実施の形態に係る車両用サンバイザ１０１は、図１及び図２に示すように、サンバイザ本体部１０３の遮光領域を拡張するための、当該サンバイザ本体部１０３の内部空間１０４に対して出し入れ可能なエクステンションプレート１１１を備えている。エクステンションプレート１１１は、本発明における「付属品」に対応する。エクステンションプレート１１１は、拡張遮光領域を形成する方形状の補助遮光板１１３と、当該補助遮光板１１３の出入口を形成する口枠部１１５によって構成される。補助遮光板１１３は、本発明における「プレート部」に対応し、口枠部１１５は、本発明における「カバー部材」に対応する。
【００１９】
サンバイザ本体部１０３の一方の長辺部（サンバイザ本体部１０３が使用領域に回動されたときの下辺領域）には、当該長辺に沿って延在するスリット１０３ａが形成され、内部空間１０４の内部と外部が連通されている。また、サンバイザ本体部１０３を覆う表皮部１０９には、サンバイザ本体部１０３のスリット１０３ａに対応する位置にスリット１０９ａが形成されている。なお、サンバイザ本体部１０３のスリット１０３ａは、二つの本体構成部材１０３Ａ，１０３Ｂの合わせ面に可能な範囲で幅広く形成されている。サンバイザ本体部１０３のスリット１０３ａ及び表皮部１０９のスリット１０９ａについては、図３に示される。なお、表皮部１０９のスリット１０９ａは、補助遮光板１１３がサンバイザ本体部１０３に取付けられる前の段階では、サンバイザ本体部１０３のスリット１０３ａの長さ方向に沿って延在する複数の切れ目によって構成されている。このことについては後述する。
【００２０】
表皮部１０９のスリット１０９ａの周辺部を覆うように、口枠部１１５がサンバイザ本体部１０３に固定されている。口枠部１１５は、図３に示すように、断面略Ｚ形の横長枠部材であり、一方の辺部（図３における上辺部）１１５ａには切り起こし状の複数の係止爪１１６を有し、当該係止爪１１６を一方の本体構成部材１０３Ａに形成された切欠き孔１０３Ａａに差し込んだ状態で、他方の辺部（図３における下辺部）１１５ｂがネジ１１７によって他方の本体構成部材１０３Ｂの取付孔１０３Ｂａに止着される。これにより、口枠部１１５はサンバイザ本体部１０３に対して固定状に取付けられている。
【００２１】
口枠部１１５は、両辺部１１５ａ，１１５ｂ間の中間領域１１５ｃに、表皮部１０９のスリット１０９ａに対応する位置にスリット１１５ｄを有する。補助遮光板１１３は、横長の長方形状に形成されており、口枠部１１５のスリット１１５ｄを通じてサンバイザ本体部１０３の外側から当該サンバイザ本体部１０３の内部空間１０４に差し込むことによってサンバイザ本体部１０３に取付けられる。サンバイザ本体部１０３に取付けられた補助遮光板１１３は、不使用時には、サンバイザ本体部１０３の内部空間１０４に収納され、必要に応じて口枠部１１５のスリット１１５ｄを通じて内部空間１０４から引き出されて外部へ突出される。内部空間１０４内に押し込まれた位置が、本発明における収納位置に対応し、内部空間１０４から引き出された位置が、本発明における「使用位置」に対応する。
【００２２】
なお、補助遮光板１１３には、内部空間１０４に出し入れする際に、指先で摘むことができる把手１１３ａが設けられている。また、補助遮光板１１３の先端側には、弾性変形可能な係止片１１３ｂ（図４のＣ参照）が設けられ、口枠部１１５のスリット１１５ｄを通過することで弾性復帰し、補助遮光板１１３を使用するべく引き出したとき、口枠部１１５の内壁面に係止することで補助遮光板１１３を抜け止めする。また、係止片１１３ｂは、補助遮光板１１３が内部空間１０４内に押し込まれて収納位置に置かれたときに、内部空間１０４の奥側に設定された係合部（便宜上図示を省略する）と弾発状に係合し、これにより当該補助遮光板１１３を収納位置に保持するよう構成される。
【００２３】
上記のように構成された車両用サンバイザ１０１においては、補助遮光板１１３をサンバイザ本体部１０３の内部空間１０６から外側へ引き出すことにより、当該サンバイザ本体部１０３の遮光領域を拡張し、広範囲の遮光領域を得ることができる。また不使用時には、補助遮光板１１３を内部空間１０６内に押し込んで収納することができる。サンバイザ本体１０３に取付けられた口枠部１１５は、表皮部１０９のスリット１０９ａの周辺領域を被覆し、外観見栄えの向上、及び補助遮光板１１３の出入動作の安定化、あるいは円滑化を図ることができる。
【００２４】
次にサンバイザ本体部１０３に対するエクステンションプレート１１１の取付け構造及び取付け方法につき、主に図４〜図６を参照して説明する。図４の（Ａ）〜（Ｄ）にはエクステンションプレート１１１のサンバイザ本体部１０３に対する取付け工程が斜視図で示され、図５の（Ａ）〜（Ｄ）には同じく取付け工程が断面図で示され、図６の（Ａ）〜（Ｃ）には表皮部１０９に形成される複数の切れ目（ミシン目）１０９ｂの状態の変化が示される。
【００２５】
本実施の形態においては、サンバイザ本体部１０３を被覆する表皮部１０９は、塩化ビニル樹脂のような樹脂シートによって形成されている。すなわち、２枚の樹脂シートをサンバイザ本体部１０３の外郭形状に対応する形状に切断し、当該切断された２枚の樹脂シートをサンバイザ本体部１０３に被せたのち、当該２枚の樹脂シートをサンバイザ本体部１０３の周縁部に沿って、例えば高周波溶着によって溶着するという形態で表皮部１０９を形成する。この状態が図４の（Ａ）及び図５の（Ａ）に示される。そして、表皮部１０９には、２枚の樹脂シートを所定形状に切断する工程において、一方の樹脂シートの所定位置に、サンバイザ本体部１０３のスリット１０３ａに沿って延在する複数（本実施の形態では、図４に示すように３個）の切れ目（ミシン目）１０９ｂが形成される。樹脂シートに形成された時点の切れ目１０９ｂの状態が図６の（Ａ）に示され、サンバイザ本体部１０３を被覆したときの表皮部１０９の切れ目１０９ｂの状態が図６の（Ｂ）に示される。
【００２６】
次にエクステンションプレート１１１の口枠部１１５は、サンバイザ本体部１０３に対して表皮部１０９の上から取付けられる。すなわち、口枠部１１５の係止爪１１６をサンバイザ本体部１０３の切欠き孔１０３Ａａに差し込むとともに、ネジ１１７によって口枠部１１５をサンバイザ本体部１０３に固定する。この状態が図４の（Ｂ）及び図５の（Ｂ）に示される。
【００２７】
次にエクステンションプレート１１１の補助遮光板１１３は、サンバイザ本体部１０３の外側から口枠部１１５のスリット１１５ｄを通じてサンバイザ本体部１０３の内部空間１０４に差し込まれることで取付けられる。この状態が図４の（Ｃ）及び（Ｄ）、図５の（Ｃ）及び（Ｄ）に示される。そして、補助遮光板１１３が内部空間１０４内に差し込まれる差込工程において、当該補助遮光板１１３の先端によって複数の切れ目１０９ｂ間の表皮部領域、すなわち切れ目分離領域１０９ｃが破断され、これによって単一のスリット１０９ａが形成される。この状態が図６の（Ｃ）に示される。従って、切れ目１０９ｂ間の間隔、すなわち切れ目分離領域１０９ｃの長さについては、樹脂シートの材質、厚み等を考慮した上で、補助遮光板１１３の押圧力で破断できるような長さに設定される。切れ目分離領域１０９ｃは、本発明における「複数の切れ目間の表皮部」に対応する。
【００２８】
本実施の形態によれば、表皮部１０９のスリット１０９ａは、サンバイザ本体部１０３に口枠体１１５を取付ける際、複数の切れ目１０９ｂが互いに分離した状態にある。このため、切れ目１０９ｂ周辺の表皮部１０９に捲れ（口開き）の発生が抑えられ、あるいは発生しても捲れの程度を軽減できる。すなわち、単一のスリット１０９ａが形成される前の時点では、捲れ（口開き）が生じたとしても、それは切れ目１０９ｂ単位での現象である。従って、サンバイザ本体部１０３に対して口枠体１１５を取付ける作業の妨げとならず、当該取付け作業を容易に行うことが可能となる。
【００２９】
また、サンバイザ本体部１０３に口枠体１１５が取付けられた後で、切れ目１０９ｂ間の切れ目分離領域１０９ｃが破断される構成のため、表皮部１０９に張力が作用した状態で保持されることになり、当該表皮部１０９の皴の発生を抑えることができる。
【００３０】
なお、上記の実施形態では、補助遮光板１１３を内部空間１０４内に差し込む際に、切れ目分離領域１０９ｃを破断するとしたが、補助遮光板１１３を差し込む前に、適当な刃物を用いて切断する構成に変更してもよく、あるいは口枠体１１５を利用して破断するように構成してもかまわない。また、表皮部１０９の材質については、樹脂シートに限らず、例えば織布を用いてもよい。
また、上記の実施形態では、補助遮光板１１３をサンバイザ本体部１０３の長辺領域から出し入れする構成としたが、短辺領域から横方向に出し入れする構成に変更してもよい。
【００３１】
（本発明の第２の実施形態）
次に本発明の第２の実施形態につき、図７〜図１０を参照して説明する。第２の実施形態は、表皮部１０９のスリット１０９ａを複数の切れ目１０９ｂによって構成する技術につき、サンバイザ本体部１０３に取付けられるカードホルダ１２１のカード挿入用スリットに適用した変形例である。カードホルダ１２１は、本発明における「付属品」に対応する。図７はカードホルダ１２１が取付けられた車両用サンバイザ１０１の全体斜視図であり、図８は分解斜視図である。また、図９及び図１０はそれぞれ車両用サンバイザ１０１の内部構造を示す断面図である。なお、第１の実施形態と同一の構成部材については、同一符号を付してその説明を省略あるいは簡略する。
【００３２】
カードホルダ１２１は、カード類１３０の挿入口を構成するスリット１２５ａを有する口枠部１２５と、口枠部１２５から挿入されたカード類１３０を保持するカード受部１２３とを主体として構成される。カード受部１２３は、本発明における「カード保持部材」に対応し、口枠部１２５は、本発明における「カバー部材」に対応する。サンバイザ本体部１０３は、図８に示す二つの本体構成部材１０３Ａ，１０３Ｂが接合されるシェル構造であり、内部空間１０４内にカード受部１２３が収容される。カード受部１２３は、二つの本体構成部材１０３Ａ，１０３Ｂが接合される前の段階で、予め一方の本体構成部材１０３Ａの内面に固定される。なお、便宜上図示を省略するが、カード受部１２３は、当該カード受部１２３に形成された孔を一方の本体構成部材１０３Ａの内壁面に突設された突部に嵌め込んで溶着されることで当該一方の本体構成部材１０３Ａに固定され、一方の本体構成部材１０３Ａの内壁面との間にカード類１３０を収容するカード収納空間１２７を形成している。なお、カード受部１２３は、口枠部１２５のスリット１２５ａを通じてカード収納空間１２７に挿入されるカード類１３０を弾発状に保持するための突状のバネ舌片１２９を有する。
【００３３】
一方の本体構成部材１０３Ａの中央領域には、図９及び図１０に示すように、サンバイザ本体部１０３の短辺方向に沿って延在するカード類１３０に対応する長さの凹部１０３ｂ及びスリット１０３ａが形成され、当該スリット１０３ａは、内部空間１０４の内部と外部を連通するとともに、カード受部１２３のカード収納空間１２７に臨んでいる。またサンバイザ本体部１０３を覆う表皮部１０９には、サンバイザ本体部１０３のスリット１０３ａに対応する位置にスリット１０９ａが形成される。表皮部１０９のスリット１０９ａは、前述した第１の実施形態と同様、樹脂シートを所定形状に切断する工程において、予め互いに分離された複数の切れ目（ミシン目）１０９ｂとして形成されている。すなわち、複数の切れ目１０９ｂは、互いに切れ目分離領域１０９ｃ（図９参照）によって分離されている。
【００３４】
カードホルダ１２１の口枠部１２５は、図９及び図１０に示すように、断面略Ｚ形の横長枠部材であり、長軸方向（スリット１２５ａの延在方向）に並列された複数の弾性クリップ１２６（図８参照）を有し、当該弾性クリップ１２６を一方の本体構成部材１０３Ａの凹部１０３ｂに設けた取付孔１０３Ａｂに差し込むことによって抜け止め状態に取付けられる。
【００３５】
表皮部１０９のスリット１０９ａは、前述した第１の実施の形態と同様、サンバイザ本体部１０３に口枠体１２５を取付ける際、複数の切れ目１０９ｂが互いに切れ目分離領域１０９ｃによって分離された状態にある。このため、切れ目１０９ｂ周辺における表皮部１０９の捲れ（口開き）の発生が抑えられる。すなわち、単一のスリット１０９ａが形成される前の時点では、捲れが生じたとしても、それは切れ目１０９ｂ単位での現象である。従って、サンバイザ本体部１０３に対して口枠体１２５を取付ける作業の妨げとならず、当該取付け作業を容易に行うことが可能となる。
【００３６】
複数の切れ目１０９ｂを互いに分離する切れ目分離領域１０９ｃは、サンバイザ本体部１０３に口枠体１２５を取付けた後で、刃物（カッター）によって切断される。かくして、表皮部１０９にはカード類１３０に対応した長さを有する単一のスリット１０９ａが形成される。このように、サンバイザ本体部１０３に口枠体１１５が取付けられた後で、切れ目１０９ｂが破断されるので、表皮部１０９に張力が作用した状態で保持されることになり、当該表皮部１０９の皴の発生を抑えることができる。
【００３７】
なお、本実施形態においても表皮部１０９の材質については、樹脂シートに限らず、例えば織布を用いてもよい。
【図面の簡単な説明】
【００３８】
【図１】本発明の第１の実施形態に係る車両用サンバイザの全体構成を示す正面図である。
【図２】車両用サンバイザの断面図である。
【図３】図２のＡ部の拡大図である。
【図４】サンバイザ本体部に対するエクステンションプレートの取付け工程を示す斜視図である。
【図５】図４のＢ−Ｂ線断面図であり、サンバイザ本体部に対するエクステンションプレートの取付け工程を示す。
【図６】表皮部に形成される複数の切れ目（ミシン目）の状態の変化を示す図である。
【図７】第２の実施形態に係る車両用サンバイザの全体構成を示す斜視図である。
【図８】車両用サンバイザの分解斜視図である。
【図９】車両用サンバイザの内部構造を示す断面図であり、表皮部の切れ目分離領域が切断される前の段階を示している。
【図１０】車両用サンバイザの内部構造を示す断面図であり、表皮部の切れ目分離領域が切断されて単一のスリットが形成された段階を示している。
【符号の説明】
【００３９】
１０１  車両用サンバイザ
１０３  サンバイザ本体部
１０３Ａ  一方の本体構成部材
１０３Ｂ  他方の本体構成部材
１０３ａ  スリット
１０３ｂ  凹部
１０３Ａａ  切欠き孔
１０３Ｂａ  取付孔
１０３Ａｂ  取付孔
１０４  内部空間
１０５  支軸
１０５ａ  縦軸部
１０５ｂ  横軸部
１０７  取付ブラケット
１０９  表皮部
１０９ａ  スリット
１０９ｂ  切れ目
１０９ｃ  切れ目分離領域
１１１  エクステンションプレート（付属品）
１１３  補助遮光板（プレート部）
１１３ａ  把手
１１３ｂ  係止片
１１５  口枠部（カバー部材）
１１５ａ  一方の辺部
１１５ｂ  他方の辺部
１１５ｃ  中間領域
１１５ｄ  スリット
１１６  係止爪
１１７  ネジ
１２１  カードホルダ（付属品）
１２３  カード受部（カード保持部材）
１２５  口枠部（カバー部材）
１２５ａ  スリット
１２６  弾性クリップ
１２７  カード収納空間
１２９  バネ舌片
１３０  カード類
【図１】
2010052665.tif 000003
【図２】
2010052665.tif 000004
【図３】
2010052665.tif 000005
【図４】
2010052665.tif 000006
【図５】
2010052665.tif 000007
【図６】
2010052665.tif 000008
【図７】
2010052665.tif 000009
【図８】
2010052665.tif 000010
【図９】
2010052665.tif 000011
【図１０】
2010052665.tif 000012